(57)【要約】【課題】簡単な構成で、ストレーナに吸入する作動油に空気が混入することを防止しながらも、変速機構の潤滑用に供給された作動油、又は変速機構の構成部品の回転で飛散した作動油の効率的な回収が可能な変速機の作動油循環構造を提供する。【解決手段】変速機構（３）の潤滑用に供給された作動油、又は変速機構（３）の構成部品の回転で飛散した作動油を回収して油溜まり部（１０）に戻す戻し油路（５６）と、戻し油路（５６）から油溜まり部（１０）へ作動油を排出するための排出口（５７）と、戻し油路（５６）の排出口（５７）からストレーナ（４０）の作動油吸入口（４３）に作動油を導くための配管（８０）とを備え、配管（８０）は、その流入端（８１）が排出口（５７）内に開口し、流出端（８２）が油溜まり部（１０）の作動油の油面（Ｌ）よりも下側における作動油吸入口（４３）の近傍に開口している。【選択図】図２
2015137694.tif 000002
【特許請求の範囲】
【請求項１】
駆動源からの駆動力の回転を変速して出力する変速機構と、
前記変速機構を収容するケーシングと、
前記ケーシング内の作動油が溜まる油溜まり部と、
油圧ポンプに連通して前記油溜まり部内に開口する作動油吸入口を有するストレーナと、
前記変速機構の潤滑用に供給された作動油、又は前記変速機構の構成部品の回転で飛散した作動油を回収して前記油溜まり部に戻す戻し油路と、
前記戻し油路から前記油溜まり部へ作動油を排出するための排出口と、を備えた変速機の作動油循環構造において、
前記排出口から前記ストレーナの前記作動油吸入口に作動油を導くための配管を備え、
前記配管は、その流入端が前記排出口からの作動油が流入する位置に開口しており、その流出端が前記油溜まり部の作動油の油面よりも下側における前記作動油吸入口の近傍に開口している
ことを特徴とする変速機の作動油循環構造。
【発明の詳細な説明】
【技術分野】
【０００１】
本発明は、駆動源からの駆動力の回転を変速して出力する変速機構と、該変速機構を収容するケーシングと、ケーシング内の作動油が溜まる油溜まり部とを備えた変速機において、変速機構の潤滑用に供給された作動油、又は変速機構の構成部品の回転で飛散した作動油を回収して油溜まり部に戻す戻し油路を備えた変速機の作動油循環構造に関する。
【背景技術】
【０００２】
従来、車両に搭載された自動変速機をはじめとする変速機は、駆動源からの駆動力の回転を変速して出力する変速機構と、変速機構を収容するケーシングとを備える。また、ケーシング内における変速機構の下側の底部に、ケーシング内の作動油が溜まるオイルパンなどの油溜まり部を有している。そして、油圧ポンプに連通すると共に油溜まり部に開口する作動油吸入口を有するストレーナを備えている。このような変速機では、例えば特許文献１に示すように、変速機構の潤滑用に供給された作動油、又は変速機構の構成部品の回転で飛散した作動油を回収して油溜まり部に戻す戻し油路を備えるものがある。
【０００３】
特許文献１に記載された従来技術では、変速機のコントロールバルブボディからオイルストレーナに戻す作動油が流通するオイル回収パイプをストレーナに直接的に接続しており、該オイル回収パイプで作動油をストレーナの内部に直接導入するように構成している。しかしながらこの構造では、オイルパン（作動油溜まり部）を介さずに作動油をストレーナに戻す構造であるため、当該作動油によってはオイルパン内の作動油の油面が上昇しない。そのため、オイルパン内の作動油が少ない状態のときや走行時の車両にかかる加減速度でオイルパン内の作動油の油面が傾いたときに、ストレーナの吸入口がオイルパン内の作動油の油面から露出する場合がある。これにより、ストレーナの吸入口から空気を吸入するおそれがある。そのため、ストレーナに吸入する作動油に空気が混入してしまうという問題がある。
【先行技術文献】
【特許文献】
【０００４】
【特許文献１】特開平４−０１５３５４号公報
【発明の概要】
【発明が解決しようとする課題】
【０００５】
本発明は上述の点に鑑みてなされたものであり、その目的は、簡単な構成で、ストレーナに吸入する作動油に空気が混入することを防止しながらも、変速機構の潤滑用に供給された作動油、又は変速機構の構成部品の回転で飛散した作動油の効率的な回収が可能な変速機の作動油循環構造を提供することにある。
【課題を解決するための手段】
【０００６】
上記課題を解決するため、本発明にかかる変速機の作動油循環構造は、駆動源（５５）からの駆動力の回転を変速して出力する変速機構（３）と、前記変速機構（３）を収容するケーシング（２）と、前記ケーシング（２）内の作動油が溜まる油溜まり部（１０）と、前記油圧ポンプ（６１）に連通して前記油溜まり部（１０）内に開口する作動油吸入口４３（４３）を有するストレーナ（４０）と、前記変速機構（３）の潤滑用に供給された作動油、又は前記変速機構（３）の構成部品の回転で飛散した作動油を回収して前記油溜まり部（１０）に戻す戻し油路（５６）と、前記戻し油路（５６）から前記油溜まり部（１０）へ作動油を排出するための排出口（５７）と、を備えた変速機の作動油循環構造において、前記排出口（５７）から前記ストレーナ（４０）の前記作動油吸入口（４３）に作動油を導くための配管（８０）を備え、前記配管（８０）は、その流入端（８１）が前記排出口（５７）からの作動油が流入する位置に開口しており、その流出端（８２）が前記油溜まり部（１０）の作動油の油面（Ｌ）よりも下側における前記作動油吸入口（４３）の近傍に開口していることを特徴とする。
【０００７】
本発明にかかる変速機の作動油循環構造によれば、戻し油路の排出口からストレーナの作動油吸入口に作動油を導くための配管を備え、当該配管は、その流入端が戻し油路の排出口からの作動油が流入する位置に開口し、その流出端が油溜まり部の作動油の油面よりも下側における作動油吸入口の近傍に開口していることで、戻し油路の排出口から排出された作動油によって油溜まり部の作動油の油面高さを維持でき、ストレーナに吸入する作動油に空気が混入することを効果的に防止できる。また、ストレーナの負圧（作動油吸入口から作動油を吸入する際の吸入圧）を利用して戻し油路の排出口からの作動油の排出を促進することができる。したがって、変速機構の潤滑用に供給された作動油、又は変速機構の構成部品の回転で飛散した作動油の効率的な回収が可能となる。また、戻し油路の排出口からの作動油の排出が促進されるため、変速機構の構成部品に余剰な作動油が滞留することを防止でき、変速機構の構成部品の摩擦抵抗（フリクション）を効果的に低減することができる。さらに、ストレーナの作動油吸入口の負圧を利用して戻し油路からの作動油の排出を促進するので、戻し油路の排出口の位置とストレーナの作動油吸入口の位置とが離れていてもよく、戻し油路とストレーナの配置の自由度が向上する。
なお、上記の括弧内の符号は、後述する実施形態における構成要素の符号を本発明の一例として示したものである。
【発明の効果】
【０００８】
本発明かかる変速機の作動油循環構造によれば、簡単な構成で、ストレーナに吸入する作動油に空気が混入することを防止しながらも、変速機構の潤滑用に供給された作動油、又は変速機構の構成部品の回転で飛散した作動油の効率的な回収が可能となる。
【図面の簡単な説明】
【０００９】
【図１】本発明の一実施形態にかかる作動油循環構造を備えた変速機を示す概略側断面図である。
【図２】図１のＡ−Ａ矢視に対応する部分の側断面図である。
【図３】変速機が備える油圧回路を示す図である。
【発明を実施するための形態】
【００１０】
以下、添付図面を参照して本発明の実施形態を詳細に説明する。図１は、本発明の一実施形態にかかる変速機の構造を示す概略側断面図である。同図に示す変速機１は、エンジン（駆動源）５５（図３参照）からの駆動力の回転を変速して出力する変速機構３と、変速機構３からの駆動力を車軸側に出力するデファレンシャル機構（差動機構）４と、変速機構３及びデファレンシャル機構４を収容するケーシング２とを備える。
【００１１】
変速機構３は、エンジン５５からの回転が入力される入力軸６ａと、入力軸６ａに対して平行に配置された出力軸６ｂとを備えており、変速段を形成するための各種のギヤやクラッチがこれら各軸６ａ，６ｂの周りに設置されている。デファレンシャル機構４は、デファレンシャル軸６ｄ及びデファレンシャルギヤ（図示せず）を備えている。
【００１２】
ケーシング２内の底壁２ａの近傍は、ケーシング２内の作動油が溜まる油溜まり部１０と、デファレンシャル機構４を収容するための機械室（差動機構収容部）２０とに分割されている。油溜まり部１０と機械室２０は互いに隣接して配置されており、それらはケーシング２内の底壁２ａからデファレンシャル機構４の外周に沿って上方へ延びる隔壁部３０で仕切られている。変速機構３に供給された潤滑用の作動油、及び機械室２０の底部２１に溜まってデファレンシャル機構４で掻き上げられた作動油は、油溜まり部１０に流下して収容されるようになっている。
【００１３】
図２は、図１のＡ−Ａ矢視に対応する部分を概略側断面図である。図１及び図２に示すように、油溜まり部１０内の所定高さまでの部分は、作動油が溜まるようになっている。そして油溜まり部１０内には、オイルストレーナ（ストレーナ）４０が設置されている。オイルストレーナ４０は、中空容器状の本体部４２と、本体部４２内に設置された作動油を濾過するための濾過部材（オイルフィルタ）４１と、本体部４２の底面４２ａに開口する吸入口（作動油吸入口）４３とを備えて構成されている。また、本体部４２には、油圧ポンプ６１に連通する吐出口４４（図２参照）が設けられている。このオイルストレーナ４０では、油圧ポンプ６１の作動によって吸入口４３から吸入された油溜まり部１０内の作動油が濾過部材４１で濾過されて、吐出口４４から油圧ポンプ６１の吸込口へ吐出されるようになっている。
【００１４】
また、図２に示すように、変速機１には、変速機構３の潤滑用に供給された作動油、又は変速機構３の構成部品（クラッチ又はブレーキやギヤなど）の回転で飛散した作動油を回収して油溜まり部１０に戻すための戻し油路５６が設けられており、入力軸６ａの下側に設置したガイド部材５８には、戻し油路５６から油溜まり部１０へ作動油を排出するための排出口５７が開口している。この排出口５７は、図２に示すように、油溜まり部１０の上方に開口している。これにより、排出口５７から排出された作動油が油溜まり部１０に流下して回収される。
【００１５】
そして、本実施形態の変速機１は、排出口５７からストレーナ４０の吸入口４３に作動油を導くための配管（パイプ）８０を備える。この配管８０は、流入端８１が排出口５７内に開口し、流出端８２が油溜まり部１０の作動油の油面Ｌよりも下側におけるストレーナ４０の吸入口４３の近傍に開口している。すなわち、配管８０の流出端８２は、ストレーナ４０には直接的に接続されておらず、油溜まり部１０の作動油内に開口しており、当該流出端８２とストレーナ４０の吸入口４３とは間隔を有して配置されている。なお、図１では、配管８０の図示は省略している。
【００１６】
図３は、変速機１が備える油圧回路を示す図である。同図に示す油圧回路５０では、エンジン５５が駆動している場合には、該エンジン５５の駆動力により、機械式の油圧ポンプ６１が回転駆動される。油圧ポンプ６１は、油溜まり部１０からストレーナ４０の吸入口４３を介して作動油を汲み上げて、油路５１，５２を介してレギュレータバルブ（調圧バルブ）７１に圧送する。レギュレータバルブ７１は、油圧ポンプ６１から圧送された作動油を調圧して油路５３にライン圧ＰＬを生成する。ライン圧ＰＬの作動油は、複数のシフトバルブ、オンオフソレノイドバルブあるいはリニアソレノイドバルブなどを含むバルブ群７２および油路５４を介して変速機構３の複数のクラッチ又はブレーキ７３に供給され、当該クラッチ又はブレーキ７３を係合させる。各クラッチ又はブレーキ７３や各バルブ群７２からドレインされる作動油や軸受け等に供給される潤滑油は、戻し油路５６を介して油溜まり部１０に戻される。この際、戻し油路５６の排出口５７から排出された作動油が、配管８０の流出端８２から油溜まり部１０内の作動油中のストレーナ４０の吸入口４３の近傍に流出する。
【００１７】
以上説明したように、本実施形態の変速機１の作動油循環構造によれば、戻し油路５６の排出口５７からストレーナ４０の吸入口４３に作動油を導くための配管８０を備え、この配管８０の流入端８１が排出口５７内に開口し、流出端８２が油溜まり部１０の作動油の油面Ｌよりも下側における吸入口４３の近傍に開口している。したがって、戻し油路５６の排出口５７から排出された作動油によって油溜まり部１０の作動油の油面高さを維持でき、ストレーナ４０に吸入する作動油に空気が混入することを効果的に防止できる。
【００１８】
また、ストレーナ４０の負圧（吸入口４３から作動油を吸入する際の吸入圧）を利用して戻し油路５６の排出口５７からの作動油の排出を促進することができる。したがって、変速機構３の潤滑用に供給された作動油、又は変速機構３の構成部品の回転で飛散した作動油の効率的な回収が可能となる。
【００１９】
また、戻し油路５６の排出口５７からの作動油の排出が促進されるため、変速機構３の構成部品に余剰な作動油が滞留することを防止できるので、変速機構３の構成部品の摩擦抵抗（フリクション）を効果的に低減することができる。
【００２０】
さらに、ストレーナ４０の吸入口４３の負圧を利用して戻し油路５６からの作動油の排出を促進するので、戻し油路５６の排出口５７の位置とストレーナ４０の吸入口４３の位置とが離れていてもよく、戻し油路５６とストレーナ４０の配置の自由度が向上する。
【００２１】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態では、配管８０の流入端８１が排出口５７内に開口している場合を示したが、本発明にかかる作動油循環構造が備える配管の流入端は、戻し油路の排出口からの作動油が流入する位置に開口しているものであれば、その配置は上記実施形態に示すものには限らず、他の位置に開口していてもよい。例えば、配管の流入端が戻し油路の排出口に面して開口していてもよい。
【符号の説明】
【００２２】
１    変速機
２    ケーシング
３    変速機構
４    デファレンシャル機構（差動機構）
６ａ    入力軸
６ｂ    出力軸
６ｄ    デファレンシャル軸
１０    油溜まり部
２０    機械室（差動機構収容室）
３０    隔壁部
４０    オイルストレーナ（ストレーナ）
４１    濾過部材
４２    本体部
４２ａ    底面
４３    吸入口（作動油吸入口）
５０    油圧回路
５５    エンジン（駆動源）
５２〜５４    油路
５６    戻し油路
５７    排出口
５８    ガイド部材
６１    油圧ポンプ
７１    レギュレータバルブ（調圧バルブ）
７２    バルブ群
７３    クラッチ又はブレーキ
８０    配管
８１    流入端
８２    流出端
Ｌ    油面
【図１】
2015137694.tif 000003
【図２】
2015137694.tif 000004
【図３】
2015137694.tif 000005